(57)【要約】【課題】従来のジャイロ式扇風機において羽構造は別に作られており、回転する重錘円盤との組み合わせによる物であって、これらの接合部においての不具合や羽根部と重錘の支持部による風の干渉があった。【解決手段】ジャイロ式扇風機において使用されている重錘円盤の羽根構造について、重錘円盤の中心位置より外側でかつ外周部分より内側の面を切り起して羽根を構成するものである。この羽根の形状や大きさも重錘円盤部分を切り起するものであるためこの重錘部分の質量に変化はもたらさないので自由にユニークな羽を形成できる一体型の重錘羽根を提供するものである。【選択図】  図1
2020125751.tif 000002
【特許請求の範囲】
【請求項１】
ジャイロ式扇風機の重錘円盤において、斜め角度に切り起こして開口部とする羽部を設けることを特徴とするジャイロ式扇風機の一体式重錘羽根。
【請求項２】
前記ジャイロ式扇風機の重錘円盤において設けられる切り起しの羽部は、連続する２本以上の直線の切れ込み又は半円形上もしくは曲線の切れ込みし、切り込みのない部分を曲げ起して斜め角度に切り起し開口部とすることを特徴とする請求項１記載のジャイロ式扇風機の一体式重錘羽根。
【請求項３】
前記ジャイロ式扇風機の重錘円盤に設けられる羽部は重錘円盤の回転方向に対して開口部を設ける又は回転方向の反対に開口部を設ける構造とするように切り起こした羽根部分を複数設けることを特徴とする請求項１乃至請求項２記載のジャイロ式扇風機の一体式重錘羽根。
【請求項４】
前記重水円盤上の切り起した羽部は大きさを異にする構造を有することを特徴とする請求項１乃至請求項３記載のジャイロ式扇風機の一体式重錘羽根。
【請求項５】
前記重錘円盤状に切り起した羽の先端が重錘円盤の回転方向へこの重錘円盤の外周方向へ最大４５度もしくは重錘円盤の回転中心方向へ最大４５度の範囲内において任意に振り向けて開口されることを特徴とする請求項１乃至４記載のジャイロ式扇風機の一体式重錘羽根。
【請求項６】
前記切り起した羽部において、切り起しを回転方向と逆回転方向に対に切り起してそれぞれ起こす方向を互い違いにすることを特徴とする請求項１記載乃至請求項５記載のジャイロ式扇風機の一体式重錘羽根。
【請求項７】
前記切り起した羽部において、この羽部を上向きに反り上がるように曲面を付けたことを特徴とする請求項１乃至請求項６記載のジャイロ式扇風機の一体式重錘羽根。
【発明の詳細な説明】
【技術分野】
【０００１】  本発明は、ジャイロ式扇風機において羽と重錘部分の別々に製造してそれを連結する構造の手間を省きよりコンパクトに設計を可能とするために羽部と重錘部分を一体式にしたものである。【０００２】重錘支持部の配置位置が羽による風の通過する位置に重錘支持部がある構造の解消のため。
【背景技術】
【０００３】現在考案されているジャイロ式扇風機の羽根部分と重錘部分は個別に制作され其々を連結して使用される構造となっており、個別の製造と組み合わせを必要とされている。
【先行技術文献】
【特許文献】
【０００４】
【特許文献１】特開２０１１−２４１８１４
【発明の概要】
【発明が解決しようとする課題】
【０００５】羽と重錘部分との組み合わせを必要としていたものを一体とすることにより、より羽根の奥行部分の収納部分がコンパクトになる。【０００６】羽と重錘部分との一体化により羽根による風の通過を重錘の支持部分で遮ってしまう部分の解消が出来ないか考案。【０００７】羽と重錘円盤との接合部が一体としてつながって構成されている為羽根部にかかる負担で破損することが少ない。
【課題を解決するための手段】
【０００８】重錘自体の平面部を切り起こすことで羽とすることが出来る。【０００９】重錘円盤の構成はアルミ・鉄・ニッケル・ステンレスその合金類や又はプラスティック・アクリルにて構成される。【００１０】重錘自体の平面部を切り起こすことで、そこに出来る空隙を風が通過することにより、従来の重錘支持部と羽根との隙間を通過する風の支障を改善することが出来る。【００１１】  重錘自体の質量は切り起し加工により変化しないため製造過程において簡便に重錘円盤と羽部とを一体として製造することが出来る。【００１２】プラスティックやアクリルなどの素材の場合熱ヒータや加熱剤を利用して、曲げ加工をする必要がある。
【発明の効果】
【００１３】。
ジャイロ運動を行うジャイロを発生させる重錘円盤を利用して、これに切り起し加工をした羽根を設ける。【００１４】この切り起し羽の羽部が本来重錘円盤の一部であるために重錘円盤の質量に変化はなく、重錘円盤の回転に対して影響を及ぼすことがない。【００１５】２本以上の直線を連続して切り出しや曲線を自由に切り出した部分を切り起してて配置出来、これらによる羽根の形状も自由に形成できる切り起し加工による羽根を形成できる。【００１６】又一体と繋がって構成されるため、重錘円盤と羽根部との破損が少なくなる。【００１７】切り起しに変えてプレスを利用した押圧による形成を利用した羽根の加工することで切り起しでは出ない曲面を持つ構造の羽根を設けることができる。【００１８】このことによりよりユニークなデザインの羽根や大小大きさを変えた羽を構成することができる。【００１９】この場合は１本の直線での切り出しを行いこの切削部分を押圧により下部へと広げて羽を形成する。【００２０】これにより切り起しとは違うが半球状の羽根を形成することが出来る。【００２１】又、切り起した羽部の面を円弧状にＲ曲面を作り風の受け具合や流れを変化させる構造を設けることもできる。
【図面の簡単な説明】
【００２２】
【図１】本発明の実施形態に係る切り起した羽部を配置したジャイロ式扇風機の一体式重錘羽の構造を示す平面図である。
【図２】本発明の実施形態に係る切り起した羽を配置した重錘（ａ）と外周リングを示す図（ｂ）と切り起した羽を配置した重錘にリング状重錘を取り付けた平面図（ｃ）である。
【図３】本発明の実施形態に係る半円形に切り起した羽を配置したジャイロ式扇風機の一体式重錘羽の斜視図である。
【図４】本発明の実施形態に係る半円形に切り起した大小の違う大きさの羽を配置したジャイロ式扇風機の一体式重錘羽の平面図である。
【図５】本発明の実施形態に係る半円形に切り起した羽を配置したジャイロ式扇風機の一体式重錘羽の取り付け角度を示す図（ａ）この半円形に切り起した羽の回転方向に対して配置する時の設置角度の範囲を示す図（ｂ）である。
【図６】本発明の実施形態に係るジャイロ式扇風機内に切り起した羽を配置したジャイロ式扇風機の一体式重錘羽の図である。
【図７】本発明の実施形態に係る切り起した羽の切り起し角度を示すジャイロ式扇風機の一体式重錘羽の図である。
【図８】本発明の実施形態に係る三角形状に切り起した羽の図（ａ）であって、切り起した羽を曲面を付けて反り上がる構造として配置した重錘の斜視図（ｂ）である。
【図９】本発明の実施形態に係る三角形状に切り起した羽を回転方向とその逆方向に配置しそれぞれ違う方向へ切り起した平面図（ａ）と側面図（ｂ）である。
【図１０】本発明の実施形態に係る半球形にプレスにて押圧した羽を配置したジャイロ式扇風機の一体式重錘羽を示す図（ａ）この半球形に切り起した羽を配置するジャイロ式扇風機の一体式重錘羽を示す図（ｂ）である。
【発明を実施するための最良の形態】
【００２３】以下、本発明の実施例について図面を参照して説明する。
【実施例１】
【００２４】以下それぞれの図面を参照して説明を入れるが、１０３切り起し羽部の形状は２本線により三角形状のものもあるが半円状のものも含めての記載とする。【００２５】図２において２本の任意の長さの線を連続して組み合わせた切り込みを入れて１０３切り立て羽を１０５切り起し曲げ部分において切り起した図である。【００２６】この１０３切り起した羽部を設けた１００重錘円盤の外周部分に２００外周リング図２（ｂ）を２００ａ外周リング連結穴と１００重錘円盤の外周部に設けられた１００ａ外周部分連結穴とをリベットなどで連結した図２（ｃ）である。【００２７】このように１０３切り起した羽部を設けた１００重錘円盤自体が回転するジャイロ効果にさらに効果的にするよう外周部にさらに重錘部の質量を増加させる２００外周リングを設ける構造とすることもできる。【００２８】図３の様に１０４切り起し部分において切り起しの方向つまり回転方向に上方向若しくは下方向かは回転方向に合わせて１０３切り立て羽を任意に設定できる。【００２９】回転方向に対して開口部を設けた場合図５（ａ）の様に回転方向を向く開口部より風を取り込み反対裏方向へと風が抜ける構造となるのに対してその反対方向に開口部を設けた場合この逆方向の風の流れとなり、風は１０３切り起した羽部に沿って流れていく。【００３０】切り起しの角度も図７記載のように、１０度から６０度の範囲内で切り起すのが風を発生させる角度としては適当でよい。【００３１】図４においては、大小大きさの違う１０４切り起し部分を設けて配置した図である。【００３２】このように違う大きさの羽部を設けても質量が変化しないで回転ぶれが発生しない点が、この切り起しにて羽部を設ける１０３切り立て羽を設ける１００重錘円盤を配置する図６記載のジャイロ式扇風機の一体式重錘羽を配置するジャイロ式扇風機である。【００３３】図５において、１０４切り起し部分の１０３切り起し羽部の回転方向に向かい、この回転進行方向に対して左右４５度振り向けて設置する１０３切り起し羽部を設置する図である。【００３４】このように最大角度４５度まで振り向けて設置できるので、この範囲において任意に角度を設定していろんな角度の１０３切り起し羽部を設けることにより図４大小の１０３切り起し羽部を設置できるのと合わせてよりデザインの幅が広がる。
【実施例２】
【００３５】図１（ａ）において、円盤状に加工されている１００重錘円盤において、半円状に切り込みを入れこれを１０５切り立て曲げ部分において切り起した図である。【００３６】半円状にすることにより前記２本線を連続して切り込みを入れて切り起した１０３切り起し羽に比べると風にあたる面積が大きく設計できる。
【実施例３】
【００３７】図面８において、１０３切り起し羽部を１０５切り起し曲げ部分により切り起す際に、湾曲するように局面を付けて１０３切り起し羽部を折り曲げたものである。
このようにすることで風の抵抗を減少させることが出来たり、風をより上向きに上げることが出来るので風力を強めに変化させることが出来る。【００３８】又、１０３切り起し羽部上に設けられる曲面を上方向ではなく、下方向へと設けることにより風を効率よくとらえることが出来る。【００３９】この場合の１０３切り起し羽部上に設けられる曲面の反り上がり角度は切り起し角度３０度とした場合５度から１０度程度で設けられる。【００４０】１０３切り起し羽部が６０度に設定されるときはこの反り上がり角度は５度までで、１０３切り起し羽部が１０度の場合は５度から１５度程度で設定される【００４１】前記反り上がり角度とはＲの起点から終点までを直線で表す線が、平面に対してつまりこの場合１００重錘円盤の平面部に対しての角度は全体の角度から切り起し角度を除いた角度がどのくらいかを示すものである。【００４２】１０３切り起し羽部が持つ角度に対して、同じ程度から１．５倍程度が良いが、４５度を超えて設定される場合これに対しては同程度以下０．２倍から０．５倍程度での設定が望ましい。【００４３】前記反り上がり角度が１０３切り起し羽部に対して大きすぎると風の損失が増えてしまうためである。
【実施例４】
【００４４】図面９において、１００重錘円盤状に配置される１０３切り起し羽部を回転方向に設置するのと反対方向にも相対的に１０３切り起し羽部の開口部分が反対方向に向いて切り起し設置した図である。【００４５】このように配置することで、回転方向上向きで風を送りだすのと、１００重錘円盤下方向から風を送り上げる動きを組み合わせることにより風の力を強く送り出すことが出来る。【００４６】図９（ａ）は切り起しと反対方向へ切り起した１０３切り起し羽部を設置した１００重錘円盤の平面図であり、図９（ｂ）は側面図で１０４切り起し部において１０３切り起し羽部が１０５切り起し曲げ部分で上下に切り起されている図である。
【実施例５】
【００４７】図１０においては、１０３切り起し羽部をプレスで押圧加工して羽根を半球状に形成して設置した図である。
このような加工をすることによりユニークな形状の特徴を出すことが出来る。
【産業上の利用可能性】
【００４８】ジャイロ式扇風機において、羽根部分とジャイロを発生させる重錘部分とを個別に製造して組み合わせるより切り起しによる羽根を設けることにより、簡単に重錘部分と羽根部分を一体として製造することが出来るので製造過程において手間が省けるのとジャイロ式扇風機の外郭内の省スペース化になる。
【符号の説明】
【００４９】１０  駆動部
１８  回転軸
２０  電池
１００  重錘円盤
１０１  回転軸受け
１０２  回転軸受け穴
１００ａ  外周部分連結穴
１０３  切り起し羽部
１０４  切り起し部分
１０５  切り起し曲げ部分
２００  外周リング
２００ａ  外周リング連結穴
３００  ジャイロ式扇風機
３０１  全面ガード
【図１】
2020125751.tif 000003
【図２】
2020125751.tif 000004
【図３】
2020125751.tif 000005
【図４】
2020125751.tif 000006
【図５】
2020125751.tif 000007
【図６】
2020125751.tif 000008
【図７】
2020125751.tif 000009
【図８】
2020125751.tif 000010
【図９】
2020125751.tif 000011
【図１０】
2020125751.tif 000012
【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
ジャイロ式扇風機の重錘円盤において、斜め角度に切り起こして開口部とする羽根部を設けることを特徴とするジャイロ式扇風機の一体式重錘羽根。
【請求項２】
前記ジャイロ式扇風機の重錘円盤において設けられる切り起しの羽根部は、連続する２本以上の直線の切れ込み又は半円形上もしくは曲線の切れ込みし、切り込みのない部分を曲げ起して斜め角度に切り起し開口部とすることを特徴とする請求項１記載のジャイロ式扇風機の一体式重錘羽根。
【請求項３】
前記ジャイロ式扇風機の重錘円盤に設けられる羽根部は重錘円盤の回転方向に対して開口部を設ける又は回転方向の反対に開口部を設ける構造とするように切り起こした羽根部分を複数設けることを特徴とする請求項１乃至請求項２記載のジャイロ式扇風機の一体式重錘羽根。
【請求項４】
前記重錘円盤上の切り起した羽根部は大きさを異にする構造を有することを特徴とする請求項１乃至請求項３記載のジャイロ式扇風機の一体式重錘羽根。
【請求項５】
前記重錘円盤上に切り起した羽根の先端が重錘円盤の回転方向へこの重錘円盤の外周方向へ最大45度もしくは重錘円盤の回転中心方向へ最大45度の範囲内において任意に振り向けて開口されることを特徴とする請求項1乃至４記載のジャイロ式扇風機の一体式重錘羽根。
【請求項６】
前記切り起した羽根部において、切り起しを回転方向と逆回転方向に対に切り起してそれぞれ起こす方向を互い違いにすることを特徴とする請求項１記載乃至請求項５記載のジャイロ式扇風機の一体式重錘羽根。
【請求項７】
前記切り起した羽根部において、この羽根部を上向きに反り上がるように曲面を付けたことを特徴とする請求項１乃至請求項６記載のジャイロ式扇風機の一体式重錘羽根。
【手続補正２】
【補正対象書類名】明細書
【補正対象項目名】全文
【補正方法】変更
【補正の内容】
【発明の詳細な説明】
【技術分野】
【０００１】
本発明は、ジャイロ式扇風機において羽根と重錘部分とを、別々に製造してそれを連結する構造の手間を省き、よりコンパクトに設計を可能とするために羽部と重錘部分を一体式にしたものである。
【０００２】
重錘支持部の配置位置が羽根による風の通過する位置に重錘支持部がある構造の解消のため。
【背景技術】
【０００３】
現在考案されているジャイロ式扇風機の羽根部分と重錘部分は個別に制作され其々を連結して使用される構造となっており、個別の製造と組み合わせを必要とされている。
【先行技術文献】
【特許文献】
【０００４】
【特許文献１】特開２０１１−２４１８１４
【発明の概要】
【発明が解決しようとする課題】
【０００５】
羽根と重錘部分との組み合わせを必要としていたものを一体とすることにより、より羽根の奥行部分の収納部分がコンパクトになる。
【０００６】
羽根と重錘部分との一体化により羽根による風の通過を重錘の支持部分で遮ってしまう部分の解消が出来ないか考案。
【０００７】
羽根と重錘円盤との接合部が一体としてつながって構成されている為羽根部にかかる負担で破損することが少ない。
【課題を解決するための手段】
【０００８】
重錘自体は円盤形状をしていてこれを重錘円盤とする。この重錘円盤の平面部を切り起こすことで羽根とすることが出来る。
【０００９】
重錘円盤の構成はアルミ・鉄・ニッケル・ステンレスその合金類や又はプラスティック・アクリルにて構成される。
【００１０】
重錘円盤自体の平面部を切り起こすことで、そこに出来る空隙を風が通過することにより、従来の重錘支持部と羽根との隙間を通過する風の支障を改善することが出来る。
【００１１】
重錘円盤自体の質量は切り起し加工により変化しないため製造過程において簡便に重錘円盤と羽根部とを一体として製造することが出来る。
【００１２】
プラスティックやアクリルなどの素材の場合熱ヒータや加熱剤を利用して、曲げ加工をする必要がある。
【発明の効果】
【００１３】
ジャイロ運動を行うジャイロを発生させる重錘円盤を利用して、これに切り起し加工をした羽根を設ける。
【００１４】
この切り起し羽根部が本来重錘円盤の一部であるために重錘円盤の質量に変化はなく、重錘円盤の回転に対して影響を及ぼすことがない。
【００１５】
２本以上の直線を連続して切り出しや曲線を自由に切り出した部分を切り起してて配置出来、これらによる羽根の形状も自由に形成できる。切り起し加工による羽根を形成できる。
【００１６】
又一体と繋がって構成されるため、重錘円盤と羽根部との破損が少なくなる。
【００１７】
切り起しに変えてプレスを利用した押圧による形成を利用した羽根の加工することで切り起しでは出ない曲面を持つ構造の羽根を設けることができる。
【００１８】
このことによりよりユニークなデザインの羽根や大小大きさを変えた羽根を構成することができる。
【００１９】
この場合は１本の直線での切り出しを行いこの切削部分を押圧により下部へと広げて羽を形成する。
【００２０】
これにより切り起しとは違うが半球状の羽根を形成することが出来る。
【００２１】
又、切り起した羽根部の面を円弧状にＲ曲面を作り風の受け具合や流れを変化させる構造を設けることもできる。
【図面の簡単な説明】
【００２２】
【図１】本発明の実施形態に係る切り起した羽根部を配置したジャイロ式扇風機の一体式重錘羽根の構造を示す平面図である。
【図２】本発明の実施形態に係る切り起した羽根を配置した重錘（ａ）と外周リングを示す図（ｂ）と切り起した羽根を配置した重錘にリング状重錘を取り付けた平面図(ｃ)である。
【図３】本発明の実施形態に係る半円形に切り起した羽根を配置したジャイロ式扇風機の一体式重錘羽根の斜視図である。
【図４】本発明の実施形態に係る半円形に切り起した大小の違う大きさの羽根を配置したジャイロ式扇風機の一体式重錘羽根の平面図である。
【図５】本発明の実施形態に係る半円形に切り起した羽根を配置したジャイロ式扇風機の一体式重錘羽根の取り付け角度を示す図（ａ）この半円形に切り起した羽根の回転方向に対して配置する時の設置角度の範囲を示す図（ｂ）である。
【図６】本発明の実施形態に係るジャイロ式扇風機内に切り起した羽根を配置したジャイロ式扇風機の一体式重錘羽根の図である。
【図７】本発明の実施形態に係る切り起した羽根の切り起し角度を示すジャイロ式扇風機の一体式重錘羽根の図である。
【図８】本発明の実施形態に係る三角形状に切り起した羽の図（ａ）であって、切り起した羽を曲面を付けて反り上がる構造として配置した重錘の斜視図(ｂ)である。
【図９】本発明の実施形態に係る三角形状に切り起した羽を回転方向とその逆方向に配置しそれぞれ違う方向へ切り起した平面図（ａ）と側面図（ｂ）である。
【図１０】本発明の実施形態に係る半球形にプレスにて押圧した羽根を配置したジャイロ式扇風機の一体式重錘羽を示す図（ａ）この半球形に切り起した羽根を配置するジャイロ式扇風機の一体式重錘羽根を示す図（ｂ）である。
【発明を実施するための最良の形態】
【００２３】
以下、本発明の実施例について図面を参照して説明する。
【実施例１】
【００２４】
以下それぞれの図面を参照して説明を入れるが、１０３切り起し羽根部の形状は２本線により三角形状のものもあるが半円状のものも含めての記載とする。
【００２５】
図２において２本の任意の長さの線を連続して組み合わせた切り込みを入れて１０３切り起し羽根部を１０５切り起し曲げ部分において切り起した図である。
【００２６】
この１０３切り起し羽根部を設けた１００重錘円盤の外周部分に２００外周リング図２(ｂ)を２００ａ外周リング連結穴と１００重錘円盤の外周部に設けられた１００ａ外周部分連結穴とをリベットなどで連結した図２(ｃ)である。
【００２７】
このように１０３切り起し羽根部を設けた１００重錘円盤自体が回転するジャイロ効果にさらに効果的にするよう外周部にさらに重錘部の質量を増加させる２００外周リングを設ける構造とすることもできる。
【００２８】
図３の様に１０４切り起し部分において切り起しの方向つまり回転方向に上方向若しくは下方向かは回転方向に合わせて１０３切り起し羽根部を任意に設定できる。
【００２９】
回転方向に対して開口部を設けた場合図５（ａ）の様に回転方向を向く開口部より風を取り込み反対裏方向へと風が抜ける構造となるのに対してその反対方向に開口部を設けた場合この逆方向の風の流れとなり、風は１０３切り起し羽根部に沿って流れていく。
【００３０】
切り起しの角度も図７記載のように、１０度から６０度の範囲内で切り起すのが風を発生させる角度としては適当でよい。
【００３１】
図４においては、大小大きさの違う１０４切り起し部分を設けて配置した図である。
【００３２】
このように違う大きさの羽部を設けても質量が変化しないで回転ぶれが発生しない点が、この切り起しにて羽部を設ける１０３切り起し羽根部を設ける１００重錘円盤を配置する図６記載のジャイロ式扇風機の一体式重錘羽を配置するジャイロ式扇風機である。
【００３３】
図５において、１０４切り起し部分の１０３切り起し羽根部の回転方向に向かい、この回転進行方向に対して左右４５度振り向けて設置する１０３切り起し羽部を設置する図である。
【００３４】
このように最大角度４５度まで振り向けて設置できるので、この範囲において任意に角度を設定していろんな角度の１０３切り起し羽根部を設けることにより図４大小の１０３切り起し羽部を設置できるのと合わせてよりデザインの幅が広がる。
【実施例２】
【００３５】
図１（ａ）において、円盤状に加工されている１００重錘円盤において、半円状に切り込みを入れこれを１０５切り立て曲げ部分において切り起した図である。
【００３６】
半円状にすることにより前記２本線を連続して切り込みを入れて切り起した１０３切り起し羽根部に比べると風にあたる面積が大きく設計できる。
【実施例３】
【００３７】
図面８において、１０３切り起し羽根部を１０５切り起し曲げ部分により切り起す際に、湾曲するように局面を付けて１０３切り起し羽根部を折り曲げたものである。このようにすることで風の抵抗を減少させることが出来たり、風をより上向きに上げることが出来るので風力を強めに変化させることが出来る。
【００３８】
又、１０３切り起し羽根部上に設けられる曲面を上方向ではなく、下方向へと設けることにより風を効率よくとらえることが出来る。
【００３９】
この場合の１０３切り起し羽根部上に設けられる曲面の反り上がり角度は切り起し角度３０度とした場合５度から１０度程度で設けられる。
【００４０】
１０３切り起し羽部が６０度に設定されるときはこの反り上がり角度は５度までで、１０３切り起し羽部が１０度の場合は５度から１５度程度で設定される
【００４１】
前記反り上がり角度とはRの起点から終点までを直線で表す線が、平面に対してつまりこの場合１００重錘円盤の平面部に対しての角度は全体の角度から切り起し角度を除いた角度がどのくらいかを示すものである。
【００４２】
１０３切り起し羽根部が持つ角度に対して、同じ角度から１．５倍程度が良いが、４５度を超えて設定される場合これに対しては同程度以下０．２倍から０．５倍程度での設定が望ましい。
【００４３】
前記反り上がり角度が１０３切り起し羽根部に対して大きすぎると風の損失が増えてしまうためである。
【実施例４】
【００４４】
図面９において、１００重錘円盤上に配置される１０３切り起し羽部を回転方向に設置するのと反対方向にも相対的に１０３切り起し羽根部の開口部分が反対方向に向いて切り起し設置した図である。
【００４５】
このように配置することで、回転方向上向きで風を送りだすのと、１００重錘円盤下方向から風を送り上げる動きを組み合わせることにより風の力を強く送り出すことが出来る。
【００４６】
図９（ａ）は切り起しと反対方向へ切り起した１０３切り起し羽根部を設置した１００重錘円盤の平面図であり、図９(ｂ)は側面図で１０４切り起し部において１０３切り起し羽根部が１０５切り起し曲げ部分で上下に切り起されている図である。
【実施例５】
【００４７】
図１０においては、１０３切り起し羽根部をプレスで押圧加工して羽根を半球状に形成して設置した図である。
【００４８】
このような加工をすることによりユニークな形状の特徴を出すことが出来る。
【産業上の利用可能性】
【００４９】
ジャイロ式扇風機において、羽根部分とジャイロを発生させる重錘部分とを個別に製造して組み合わせるより、切り起しによる羽根を設けることにより、簡単に重錘部分と羽根部分を一体として製造することが出来るので製造過程において手間が省けるのとジャイロ式扇風機の外郭内の省スペース化になる。
【符号の説明】
【００５０】
１０  駆動部
１８  回転軸
２０  電池
１００  重錘円盤
１０１  回転軸受け
１０２  回転軸受け穴
１００a  外周部分連結穴
１０３  切り起し羽根部
１０４  切り起し部分
１０５  切り起し曲げ部分
２００  外周リング
２００ａ  外周リング連結穴
３００  ジャイロ式扇風機
３０１  前面ガード
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
ジャイロ式扇風機の重錘円盤において、１０度から６０度の範囲内で斜め角度に切り起こして開口部とする羽根部を設け、この重錘円盤上に切り起した羽根の先端が重錘円盤の回転方向へこの重錘円盤の外周方向へ最大45度もしくは重錘円盤の回転中心方向へ最大45度の範囲内において任意に左右に振り向けて開口されることをることを特徴とするジャイロ式扇風機の一体式重錘羽根。
【請求項２】
前記ジャイロ式扇風機の重錘円盤において設けられる切り起しの羽根部は、連続する２本以上の直線の切れ込み又は半円形状もしくは曲線の切れ込みし、切り込みのない部分を曲げ起して斜め角度に切り起し開口部とする叉は、重錘円盤上の切り起した羽根部は大きさを異にする構造持つこと若しくはこの両方を備えることを特徴とする請求項１記載のジャイロ式扇風機の一体式重錘羽根。
【請求項３】
前記切り起した羽根部において、切り起し羽根を回転方向と逆回転方向に対に切り起してそれぞれ起こす方向を互い違いにする若しくは、切り起し羽部を回転方向に設置するのと反対方向にも相対的に切り起し羽根部の開口部分が反対方向に向いて切り起しことを特徴とする請求項１記載乃至請求項２記載のジャイロ式扇風機の一体式重錘羽根。
【請求項４】
前記切り起した羽根部において、この羽根部を上向きに反り上がるように曲面を付けこの羽根の付け根と羽根の先端の反り上がり角度は5度から10度であることを特徴とする請求項１乃至請求項３記載のジャイロ式扇風機の一体式重錘羽根。
【手続補正２】
【補正対象書類名】明細書
【補正対象項目名】全文
【補正方法】変更
【補正の内容】
【発明の詳細な説明】
【技術分野】
【０００１】
本発明は、ジャイロ式扇風機において羽根と重錘部分とを、別々に製造してそれを連結する構造の手間を省き、よりコンパクトに設計を可能とするために羽部と重錘部分を一体式にしたものである。
【０００２】
重錘支持部の配置位置が羽根による風の通過する位置に重錘支持部がある構造の解消のため。
【背景技術】
【０００３】
現在考案されているジャイロ式扇風機の羽根部分と重錘部分は個別に制作され其々を連結して使用される構造となっており、個別の製造と組み合わせを必要とされている。
【先行技術文献】
【特許文献】
【０００４】
【特許文献１】特開２０１１−２４１８１４
【発明の概要】
【発明が解決しようとする課題】
【０００５】
羽根と重錘部分との組み合わせを必要としていたものを一体とすることにより、より羽根の奥行部分の収納部分がコンパクトになる。
【０００６】
羽根と重錘部分との一体化により羽根による風の通過を重錘の支持部分で遮ってしまう部分の解消が出来ないか考案。
【０００７】
羽根と重錘円盤との接合部が一体としてつながって構成されている為羽根部にかかる負担で破損することが少ない。
【課題を解決するための手段】
【０００８】
重錘自体は円盤形状をしていてこれを重錘円盤とする。この重錘円盤の平面部を切り起こすことで羽根とすることが出来る。
【０００９】
重錘円盤の構成はアルミ・鉄・ニッケル・ステンレスその合金類や又はプラスティック・アクリルにて構成される。
【００１０】
重錘円盤自体の平面部を切り起こすことで、そこに出来る空隙を風が通過することにより、従来の重錘支持部と羽根との隙間を通過する風の支障を改善することが出来る。
【００１１】
重錘円盤自体の質量は切り起し加工により変化しないため製造過程において簡便に重錘円盤と羽根部とを一体として製造することが出来る。
【００１２】
プラスティックやアクリルなどの素材の場合熱ヒータや加熱剤を利用して、曲げ加工をする必要がある。
【発明の効果】
【００１３】
。
ジャイロ運動を行うジャイロを発生させる重錘円盤を利用して、これに切り起し加工をした羽根を設ける。
【００１４】
この切り起し羽根部が本来重錘円盤の一部であるために重錘円盤の質量に変化はなく、重錘円盤の回転に対して影響を及ぼすことがない。
【００１５】
２本以上の直線を連続して切り出しや曲線を自由に切り出した部分を切り起して配置出来、これらによる羽根の形状も自由に切り起し加工による羽根を形成できる。
【００１６】
又一体と繋がって構成されるため、重錘円盤と羽根部との破損が少なくなる。
【００１７】
切り起しに変えてプレスを利用した押圧による形成を利用した羽根の加工することで切り起しでは出ない曲面を持つ構造の羽根を設けることができる。
【００１８】
このことによりよりユニークなデザインの羽根や大小大きさを変えた羽根を構成することができる。
【００１９】
この場合は１本の直線での切り出しを行いこの切削部分を押圧により下部へと広げて羽を形成する。
【００２０】
これにより切り起しとは違うが半球状の羽根を形成することが出来る。
【００２１】
又、切り起した羽根部の面を円弧状にＲ曲面を作り風の受け具合や流れを変化させる構造を設けることもできる。
【図面の簡単な説明】
【００２２】
【図１】本発明の実施形態に係る切り起した羽根部を配置したジャイロ式扇風機の一体式重錘羽根の構造を示す平面図である。
【図２】本発明の実施形態に係る切り起した羽根を配置した重錘（ａ）と外周リングを示す図（ｂ）と切り起した羽根を配置した重錘にリング状重錘を取り付けた平面図(ｃ)である。
【図３】本発明の実施形態に係る半円形に切り起した羽根を配置したジャイロ式扇風機の一体式重錘羽根の斜視図である。
【図４】本発明の実施形態に係る半円形に切り起した大小の違う大きさの羽根を配置したジャイロ式扇風機の一体式重錘羽根の平面図である。
【図５】本発明の実施形態に係る半円形に切り起した羽根を配置したジャイロ式扇風機の一体式重錘羽根の取り付け角度を示す図（ａ）この半円形に切り起した羽根の回転方向に対して配置する時の設置角度の範囲を示す図（ｂ）である。
【図６】本発明の実施形態に係るジャイロ式扇風機内に切り起した羽根を配置したジャイロ式扇風機の一体式重錘羽根の図である。
【図７】本発明の実施形態に係る切り起した羽根の切り起し角度を示すジャイロ式扇風機の一体式重錘羽根の図である。
【図８】本発明の実施形態に係る三角形状に切り起した羽の図（ａ）であって、切り起した羽を曲面を付けて反り上がる構造として配置した重錘の斜視図(ｂ)である。
【図９】本発明の実施形態に係る三角形状に切り起した羽を回転方向とその逆方向に配置しそれぞれ違う方向へ切り起した平面図（ａ）と側面図（ｂ）である。
【図１０】本発明の実施形態に係る半球形にプレスにて押圧した羽根を配置したジャイロ式扇風機の一体式重錘羽を示す図（ａ）この半球形に切り起した羽根を配置するジャイロ式扇風機の一体式重錘羽根を示す図（ｂ）である。
【発明を実施するための最良の形態】
【００２３】
以下、本発明の実施例について図面を参照して説明する。
【実施例１】
【００２４】
以下それぞれの図面を参照して説明を入れるが、１０３切り起し羽根部の形状は２本線により三角形状のものもあるが半円状のものも含めての記載とする。
【００２５】
図２において２本の任意の長さの線を連続して組み合わせた切り込みを入れて１０３切り起し羽根部を１０５切り起し曲げ部分において切り起した図である。
【００２６】
この１０３切り起し羽根部を設けた１００重錘円盤の外周部分に２００外周リング図２(ｂ)を２００ａ外周リング連結穴と１００重錘円盤の外周部に設けられた１００ａ外周部分連結穴とをリベットなどで連結した図２(ｃ)である。
【００２７】
このように１０３切り起し羽根部を設けた１００重錘円盤自体が回転するジャイロ効果にさらに効果的にするよう外周部にさらに重錘部の質量を増加させる２００外周リングを設ける構造とすることもできる。
【００２８】
図３の様に１０４切り起し部分において切り起しの方向つまり回転方向に上方向若しくは下方向かは回転方向に合わせて１０３切り起し羽根部を任意に設定できる。
【００２９】
回転方向に対して開口部を設けた場合図５（ａ）の様に回転方向を向く開口部より風を取り込み反対裏方向へと風が抜ける構造となるのに対してその反対方向に開口部を設けた場合この逆方向の風の流れとなり、風は１０３切り起し羽根部に沿って流れていく。
【００３０】
切り起しの角度も図７記載のように、１０度から６０度の範囲内で切り起すのが風を発生させる角度としては適当でよい。
【００３１】
図４においては、大小大きさの違う１０４切り起し部分を設けて配置した図である。
【００３２】
このように違う大きさの羽部を設けても質量が変化しないで回転ぶれが発生しない点が、この切り起しにて羽部を設ける１０３切り起し羽根部を設ける１００重錘円盤を配置する図６記載のジャイロ式扇風機の一体式重錘羽を配置するジャイロ式扇風機である。
【００３３】
図５において、１０４切り起し部分の１０３切り起し羽根部の回転方向に向かい、この回転進行方向に対して左右４５度振り向けて設置する１０３切り起し羽部を設置する図である。
【００３４】
このように最大角度４５度まで振り向けて設置できるので、この範囲において任意に角度を設定していろんな角度の１０３切り起し羽根部を設けることにより図４大小の１０３切り起し羽部を設置できるのと合わせてよりデザインの幅が広がる。
【００３５】
図１（ａ）において、円盤状に加工されている１００重錘円盤において、半円状に切り込みを入れこれを１０５切り立て曲げ部分において切り起した図である。
【００３６】
半円状にすることにより前記２本線を連続して切り込みを入れて切り起した１０３切り起し羽根部に比べると風にあたる面積が大きく設計できる。
【実施例２】
【００３７】
図面８において、１０３切り起し羽根部を１０５切り起し曲げ部分により切り起す際に、湾曲するように曲面を付けて１０３切り起し羽根部を折り曲げたものである。このようにすることで風の抵抗を減少させることが出来たり、風をより上向きに上げることが出来るので風力を強めに変化させることが出来る。
【００３８】
又、１０３切り起し羽根部上に設けられる曲面を上方向ではなく、下方向へと設けることにより風を効率よくとらえることが出来る。
【００３９】
この場合の１０３切り起し羽根部上に設けられる曲面の反り上がり角度は切り起し角度３０度とした場合５度から１０度程度で設けられる。
【００４０】
１０３切り起し羽部が６０度に設定されるときはこの反り上がり角度は５度までで、１０３切り起し羽部が１０度の場合は５度から１５度程度で設定される
【００４１】
前記反り上がり角度とはRの起点から終点までを直線で表す線が、平面に対してつまりこの場合１００重錘円盤の平面部に対しての角度は全体の角度から切り起し角度を除いた角度がどのくらいかを示すものである。
【００４２】
１０３切り起し羽根部が持つ角度に対して、同じ角度から１．５倍程度が良いが、４５度を超えて設定される場合これに対しては同程度以下０．２倍から０．５倍程度での設定が望ましい。
【００４３】
前記反り上がり角度が１０３切り起し羽根部に対して大きすぎると風の損失が増えてしまうためである。
図面９において、１００重錘円盤上に配置される１０３切り起し羽部を回転方向に設置するのと反対方向にも相対的に１０３切り起し羽根部の開口部分が反対方向に向いて切り起し設置した図である。
【００４４】
このように配置することで、回転方向上向きで風を送りだすのと、１００重錘円盤下方向から風を送り上げる動きを組み合わせることにより風の力を強く送り出すことが出来る。
【００４５】
図９（ａ）は切り起しと反対方向へ切り起した１０３切り起し羽根部を設置した１００重錘円盤の平面図であり、図９(ｂ)は側面図で１０４切り起し部において１０３切り起し羽根部が１０５切り起し曲げ部分で上下に切り起されている図である。
【実施例３】
【００４６】
図１０においては、１０３切り起し羽根部をプレスで押圧加工して羽根を半球状に形成して設置した図である。
【００４７】
このような加工をすることによりユニークな形状の特徴を出すことが出来る。
【産業上の利用可能性】
【００４８】
ジャイロ式扇風機において、羽根部分とジャイロを発生させる重錘部分とを個別に製造して組み合わせるより、切り起しによる羽根を設けることにより、簡単に重錘部分と羽根部分を一体として製造することが出来るので製造過程において手間が省けるのとジャイロ式扇風機の外郭内の省スペース化になる。
【符号の説明】
【００４９】
１０  駆動部
１８  回転軸
２０  電池
１００  重錘円盤
１０１  回転軸受け
１０２  回転軸受け穴
１００a  外周部分連結穴
１０３  切り起し羽根部
１０４  切り起し部分
１０５  切り起し曲げ部分
２００  外周リング
２００ａ  外周リング連結穴
３００  ジャイロ式扇風機
３０１  前面ガード
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
ジャイロ式扇風機の重錘円盤において、１０度から６０度の範囲内で斜め角度に切り起こして開口部とする羽根部を設け、この重錘円盤上に切り起した羽根の先端が重錘円盤の回転方向へこの重錘円盤の外周方向へ最大４５度もしくは重錘円盤の回転中心方向へ最大４５度の範囲内において任意に左右に振り向けて開口することを特徴とするジャイロ式扇風機の一体式重錘羽根。
【請求項２】
前記ジャイロ式扇風機の重錘円盤において設けられる切り起しの羽根部は、連続する２本以上の直線の切れ込み又は半円形状もしくは曲線の切れ込部分を曲げ起して斜め角度に切り起し開口部とする叉は、重錘円盤上の切り起した羽根部は切り起された羽根部の大きさを異にする構造持つこと若しくはこの両方を備えることを特徴とする請求項１記載のジャイロ式扇風機の一体式重錘羽根。
【請求項３】
前記切り起した羽根部において、切り起し羽根を回転方向と逆回転方向に対に切り起してそれぞれ起こす方向を互い違いにする若しくは、切り起し羽部を回転方向に設置するのと反対方向にも相対的に切り起し羽根部の開口部分が反対方向に向いて切り起す構造を有することを特徴とする請求項１記載乃至請求項２記載のジャイロ式扇風機の一体式重錘羽根。
【請求項４】
前記切り起した羽根部において、この羽根部を上向きに反り上がるように曲面を付けこの羽根の付け根と羽根の先端の反り上がり角度は５度から１０度であることを特徴とする請求項１乃至請求項３記載のジャイロ式扇風機の一体式重錘羽根。